(57)【要約】【課題】閉塞状態での圧縮強度を向上するとともに、組み立てが簡単で必要な材料の面積も削減する。【解決手段】箱本体２の上端開口を、箱本体２と同一形状の天壁１１の外周縁にそれぞれ側壁１２Ａ〜１２Ｄを連設した別体の蓋体１０によって閉塞する包装箱において、箱本体２を蓋体１０で閉塞した状態で、蓋体１０の側壁１２Ａ〜１２Ｄの少なくとも一部の下端縁が箱本体２の底壁３の下面に達するように構成する。【選択図】図１
2006051986.tif 000002
【特許請求の範囲】
【請求項１】
箱本体の上端開口を、前記箱本体と同一形状の天壁の外周縁にそれぞれ側壁を連設した別体の蓋体によって閉塞する包装箱において、
前記箱本体を蓋体で閉塞した状態で、前記蓋体の側壁の少なくとも一部の下端縁が前記箱本体の底壁の下面に達するようにしたことを特徴とする包装箱。
【請求項２】
前記箱本体は、その底壁の外周縁に内部に収容する商品の全高より低い周壁を設けたもので、
前記蓋体の隣接する側壁が交わる角部の上部に、前記箱本体における周壁の上端に係止する係止段部を一体に設けたことを特徴とする請求項１に記載の包装箱。
【発明の詳細な説明】
【技術分野】
【０００１】
本発明は、箱本体の上端開口を別体の蓋体によって閉塞する包装箱に関する。
【背景技術】
【０００２】
本発明の包装箱に関連する先行技術文献情報としては次のものがある。
【０００３】
【特許文献１】実公平７−９７９１号公報
【特許文献２】実公昭６３−１３１５３号公報
【０００４】
この特許文献１には、上端開口の箱本体と、該箱本体とは別体の下端開口の蓋体とからなる包装箱が記載されている。この包装箱は、蓋体を開けて箱本体に収容させた商品を展示する際に、購入者が商品を確認し易くするために、箱本体の周壁を商品の全高より低くし、その商品の上部が箱本体から露出するように構成している。この包装箱を使用し、蓋体をした状態で積み重ねたり、搬送時に上部に他の物が載せられた場合には、その荷重が商品に直接的に加わるという問題がある。そのため、蓋体の内部には、該蓋体の天壁と箱本体の周壁の上端との間に所定の隙間を形成するための天パッド（スペーサ）が配設されている。
【０００５】
また、特許文献２の包装箱では、蓋体の天壁の周囲に形成する側壁を２重壁で構成し、隣接する側壁の内側に位置する内面部に係止段部を設ける構成が記載されている。そして、この蓋体を組み立てる際には、前記係止段部を、隣接する側壁の外側に位置する外面部へ貼着することにより、該係止段部を隣接する側壁間に斜めに架け渡すように位置させる構成としている。そのため、この蓋体によって箱本体を閉塞した場合、前記係止段部が箱本体の上端に係止することにより、商品に蓋体の天壁が当接しないように構成することができる。
【０００６】
しかしながら、これらの包装箱は、ギフト商品を収容する目的として主に使用され、外観が重要視されるため、箱本体を蓋体によって閉塞した状態では、別体の天パッドや一体の係止段部により、蓋体の側壁の下端から箱本体が露出するように構成されている。その結果、前記特許文献１，２のいずれの構成でも、複数の包装箱を積み重ねた際の圧縮強度が弱く、最悪の場合には蓋体の天壁が商品に接触して荷重が加わってしまうという問題がある。
【０００７】
また、特許文献１の包装箱では、箱本体と、蓋体と、天パッドとの３部材が必要になるため、組立作業性やこれらのブランクの保管に係るスペースが広くなるという問題がある。また、包装箱を形成するために紙の使用面積が多くなるため、コスト高になるという問題がある。
【０００８】
さらに、この特許文献２に記載の蓋体は、隣接する側壁を構成する外側面を一方に設けた糊代部によって貼着し、各側壁の内側面を内側に折り曲げた状態で、その隅に位置する係止段部を隣接する側壁に貼着する必要があるため、その組み立て動作が非常に複雑である。
【発明の開示】
【発明が解決しようとする課題】
【０００９】
そこで、本発明では、閉塞状態での圧縮強度を向上するとともに、組み立てが簡単で必要な材料の面積も削減できる包装箱を提供することを課題とするものである。
【課題を解決するための手段】
【００１０】
前記課題を解決するため、本発明の包装箱は、箱本体の上端開口を、前記箱本体と同一形状の天壁の外周縁にそれぞれ側壁を連設した別体の蓋体によって閉塞する包装箱において、前記箱本体を蓋体で閉塞した状態で、前記蓋体の側壁の少なくとも一部の下端縁が前記箱本体の底壁の下面に達するように構成している。
【００１１】
この包装箱によれば、蓋体の側壁の少なくとも一部の下端縁が前記箱本体の底壁の下面に達するように構成しているため、該包装箱を積み重ねた場合の荷重を、箱本体の周壁と蓋体の側壁とに分散することができる。その結果、包装箱自体の圧縮強度を向上することができ、内部に収容した商品に荷重が加わることを確実に防止できる。
【００１２】
この包装箱では、前記箱本体は、その底壁の外周縁に内部に収容する商品の全高より低い周壁を設けたもので、前記蓋体の隣接する側壁が交わる角部の上部に、前記箱本体における周壁の上端に係止する係止段部を一体に設けることが好ましい。このようにすれば、箱本体に収容した商品に蓋体の天壁が当接することを防止できるとともに、このような包装箱を構成する部品点数を削減し、コストダウンを図ることができる。
【発明の効果】
【００１３】
本発明の包装箱では、箱本体を蓋体で閉塞した状態で、蓋体の側壁の少なくとも一部の下端縁が前記箱本体の底壁の下面に達するように構成しているため、該包装箱を積み重ねた場合の荷重を、箱本体の周壁と蓋体の側壁とに分散し、内部に収容した商品に荷重が加わることを確実に防止できる。
【発明を実施するための最良の形態】
【００１４】
以下、本発明の実施の形態を図面に従って説明する。
【００１５】
図１から図５は、本発明の第１実施形態に係る蓋体１０を適用した包装箱を示す。この包装箱は、従来と同様に、展示状態で商品１の上部が露出する箱本体２と、該箱本体２を覆うように閉塞する蓋体１０とからなる。
【００１６】
これら箱本体２および蓋体１０は、周知の紙器打抜装置（図示せず）によって段ボール紙を連続した一枚のブランクとして打ち抜いて成形される。なお、前記段ボール紙は、一対の表紙と裏紙との間に波状の中しんを配設したものである。
【００１７】
具体的には、箱本体２は、図１（Ａ），（Ｂ）および図３に示すように、長方形状をなす底壁３の各外周縁に４方を囲繞する周壁を設けたものである。この周壁を構成する各側壁４Ａ〜４Ｄは、底壁３に連続する外側面５と、該外側面５に連続して内側に折り返される内側面６とを備えた２重壁構造のものである。また、各側壁４Ａ〜４Ｄの全高は、内部に収容する商品１の全高より低い高さに設定されている。
【００１８】
前記蓋体１０のブランクは、図４に示すように、組立状態の箱本体２の外法と同一形状の天壁１１を備え、該天壁１１の各外周縁に、それぞれ側壁１２Ａ，１２Ｂ，１２Ｃ，１２Ｄが連設されている。これら側壁１２Ａ〜１２Ｄは、前記箱本体２の上部から露出する商品１に天壁１１が当接することなく、十分に覆うことができる高さ（寸法）に設定されている。また、これら天壁１１と側壁１２Ａ〜１２Ｄの境界部分には、肉厚を圧縮するように罫を入れて形成した折曲線１３が設けられている。
【００１９】
前記側壁１２Ａ〜１２Ｄのうち、左右に対向する一対の側壁１２Ａ，１２Ｂは、天壁１１と連続する外壁部１４Ａ，１４Ｂと、これら外壁部１４Ａ，１４Ｂと連続する下端壁部１５Ａ，１５Ｂと、これら下端壁部１５Ａ，１５Ｂと連続する内壁部１６Ａ，１６Ｂとを備えた二重壁構造のものである。これら外壁部１４Ａ，１４Ｂ、下端壁部１５Ａ，１５Ｂおよび内壁部１６Ａ，１６Ｂの各境界部分には、前記と同様の折曲線１７が設けられている。前記内壁部１６Ａ，１６Ｂは、その両側縁が先端に向けて広がるように傾斜され、その最大幅は、組立状態で隣接する側壁１２Ｃ，１２Ｄの内面間の寸法より大きくなるように構成されている。また、前記内壁部１６Ａ，１６Ｂの先端縁中央には、組立状態から展開する際に指を引っ掛けるための半円形状をなす切欠部１８が設けられている。さらに、本実施形態の内壁部１６Ａ，１６Ｂの先端両側には、蓋体１０の閉塞状態で前記箱本体２における側壁４Ａ〜４Ｄの上端に係止する係止段部１９が設けられている。
【００２０】
この係止段部１９は、内壁部１６Ａ，１６Ｂの先端縁に対して平行に延びる切断線２０と、該切断線２０の端部から内壁部１６Ａ，１６Ｂの先端縁に対して直交方向に延びる折曲線２１とを備え、切断線２０より先の部分は更に外向きに突出する形状をなす。これにより、折曲線１７に沿って各壁部を折り曲げると、蓋体１０の側壁１２Ａ〜１２Ｄの内面側上部で、かつ、隣接する側壁１２Ａ〜１２Ｄが交わる角部において、側壁１２Ｃ，１２Ｄにかけて傾斜して延びる係止段部１９が一体に形成される。そして、本実施形態では、この係止段部１９は、前記箱本体２の側壁４Ａ〜４Ｄの上端角部に係止させて該箱本体２を蓋体１０で閉塞した状態で、前記側壁１２Ａ〜１２Ｄの下端縁が前記箱本体２の底壁３の下面に達する寸法に形成されている。言い換えれば、側壁１２Ａ〜１２Ｄの下端縁は、前記係止段部１９を蓋体１０の側壁４Ａ〜４Ｄの上端縁に係止させた状態で、該箱本体２の底壁３の下面に達する形状（寸法）で形成されている。なお、前記折曲線２１は、前記と同様の折曲線と、該折曲線の中央に設けた切断線とからなるリード罫により構成している。
【００２１】
前記側壁１２Ａ〜１２Ｄのうち、上下に対向する一対の側壁１２Ｃ，１２Ｄには、閉塞状態で箱本体２の側壁４Ａ，４Ｂの中央下端部を露出させる半円形状の切欠部２２が設けられている。
【００２２】
また、本実施形態の蓋体１０には、前記側壁１２Ａ，１２Ｂを構成する外壁部１４Ａ，１４Ｂと隣接する側壁１２Ｃ，１２Ｄとの間の隅部に矩形状の連続壁２３が設けられ、その境界部分には折曲線２４が設けられている。この連続壁２３は外壁部１４Ａ，１４Ｂに貼着される貼着部２５と、該貼着部２５に重畳される重畳部２６とを備え、対角方向に延びる境界部分には、Ｖ字形状をなす切断線２７と、該切断線２７の両端から延びる折曲線２８とからなる罫線が設けられている。
【００２３】
なお、前記構成の蓋体１０は、前記連続壁２３の貼着部２５を外壁部１４Ａ，１４Ｂの対応位置に貼着し、側壁１２Ｃ，１２Ｄが天壁１１に重畳するように平坦に折り曲げた状態で出荷される。そして、この蓋体１０を組み立てる場合には、前記側壁１２Ｃ，１２Ｄが天壁１１に対して直角に位置するように開くことにより、図５に示すように、連続壁２３によって連続した側壁１２Ａ，１２Ｂを立ち上げる。ついで、側壁１２Ｃ，１２Ｄの先端より突出した下端壁部１５Ａ，１５Ｂおよび内壁部１６Ａ，１６Ｂを折り曲げ、内壁部１６Ａ，１６Ｂを側壁１２Ｃ，１２Ｄの内側に位置させることにより、組立作業が終了する。
【００２４】
なお、内壁部１６Ａ，１６Ｂを側壁１２Ｃ，１２Ｄの内側に折り込んだ際には、外向きに突出した係止段部１９の先端が側壁１２Ｃ，１２Ｄに干渉することにより、隣接する側壁１２Ａ〜１２Ｄにおいて角部に４５度の角度で傾斜して延びるように自然に折れ曲がる。また、内壁部１６Ａ，１６Ｂの両側縁が隣接する側壁１２Ｃ，１２Ｄの内面に摺接し、その摩擦係止力により弾性的に復元することが防止される。
【００２５】
そして、この蓋体１０で商品１を収容した箱本体２を閉塞した場合、図１（Ａ），（Ｂ）に示すように、係止段部１９が箱本体２の側壁４Ａ〜４Ｄの上端隅部に係止する。これにより、蓋体１０の天壁１１は、箱本体２の側壁４Ａ〜４Ｄの上端から所定間隔をもって上方に浮いた状態に保持される。また、蓋体１０は、その側壁１２Ａ〜１２Ｄの下端縁が箱本体２の底壁３の下面に達する。即ち、包装箱を所定の場所に設置した状態で、その設置面に側壁１２Ａ〜１２Ｄの下端縁が当接する。
【００２６】
そのため、この包装箱の上方から加わる荷重は、蓋体１０の係止段部１９が当接することによる箱本体２の側壁４Ａ〜４Ｄと、側壁１２Ａ〜１２Ｄとに分散されるため、この蓋体１０を適用した包装箱の上下方向の圧縮強度を格段に向上できる。その結果、包装箱を積み重ねたり、搬送時に上部に軽い他の物が載せられても、その荷重が商品１に直接的に加わることはない。
【００２７】
また、本実施形態では、平面視矩形状をなす蓋体１０の対向する一対の側壁１２Ａ，１２Ｂを、外壁部１４Ａ，１４Ｂと内壁部１６Ａ，１６Ｂとを有する二重壁構造により構成するとともに、前記係止段部１９を、前記内壁部１６Ａ，１６Ｂの先端に隣接する側壁１２Ｃ，１２Ｄにかけて傾斜して延びるように一体に設けているため、包装箱を構成する部品点数を削減し、コストダウンを図ることができる。また、包装箱の組立時には、二重壁を構成するように内壁部１６Ａ，１６Ｂを折り込むだけで係止段部１９を形成することができるため、組立作業性を向上することができる。
【００２８】
なお、本発明者等は、本発明の構成による作用および効果を確認するために、特許文献１に記載の構成の従来品と、図１（Ａ），（Ｂ）に示す本発明品とを用い、圧縮強度に関する実験を行った。実験条件としては、ギフト商品であるハムを３個収容可能な包装箱と、４個収容可能な包装箱の２種を用意した。また、前処理として、２３℃・５０％ＲＨ設定の環境下に２４時間置いた標準条件の包装箱と、５℃・８５％ＲＨ設定の環境下に２４時間置いた多湿条件の包装箱の２種を更に用意した。
【００２９】
そして、商品１を収容させていない空箱状態で、包装箱の端に集中して荷重が加わるように加圧し、全長が短い側壁１２Ａ，１２Ｂ（短面）、および、全長が長い側壁１２Ｃ，１２Ｄ（長面）が潰れるときの最大値をそれぞれ測定した。また、蓋体１０の開口を上向きに配置し、箱本体２の開口を上向きに配置した状態で蓋体１０内に配置した展示状態において、底中央部に集中して荷重が加わるように加圧し、耐え得る最大値を測定した。その結果を下記の表１に示す。
【００３０】
【表１】
2006051986.tif 000003
【００３１】
前記表１に示すように、特許文献１に記載の従来品と本発明品とを比較すると、いずれの実験でも圧縮強度が高いことを確認できた。
【００３２】
なお、本発明の包装箱は、前記実施形態の構成に限定されるものではなく、特に、前記蓋体１０の全体構成および係止段部１９の構成は希望に応じて種々の変更が可能である。
【００３３】
例えば、図６から図８に示すように、蓋体１０の側壁１２Ａ，１２Ｂは単一の壁からなる構成とし、隣接する側壁１２Ａ〜１２Ｄのうち、左右一対の側壁１２Ａ，１２Ｂの先端両側縁に隣接する側壁１２Ｃ，１２Ｄに貼着するための糊代部２９を設けるとともに、その境界部分に折曲線３０を設ける。そして、この側壁１２Ａ，１２Ｂの基端側には、隣接する側壁１２Ａ〜１２Ｄの稜部から内向きに突出する係止段部３１が突設されている。この係止段部３１は、隣接する側壁１２Ａ〜１２Ｄの隅にそれぞれと連続するように正方形状に設けられ、側壁１２Ａ〜１２Ｄとの境界部分には折曲線３２が設けられている。また、この係止段部３１には、隣接する側壁１２Ａ〜１２Ｄが交差した隅部から対角に向けて延びる折曲線３３が設けられている。この蓋体１０は、天壁１１に対して側壁１２Ａ〜１２Ｄを折り曲げるとともに、側壁１２Ａ，１２Ｂに対して糊代部２９を折り曲げることにより、前記係止段部３１が２つに折り曲げられながら内向きに突出される。この蓋体１０によって箱本体２を閉塞した場合、前記実施形態と同様に、係止段部３１が箱本体２の上端に係止した状態で、側壁１２Ａ〜１２Ｄが箱本体２の底壁３の下面に達するため、前記と同様の作用および効果を得ることができる。
【００３４】
また、係止段部は蓋体１０に一体に形成する構成に限られず、別体の部品を取り付ける構成としても圧縮強度は確実に向上することができる。さらに、箱本体２の周壁を構成する側壁４Ａ〜４Ｄを、内部に収容する商品より高くなる寸法で形成し、蓋体１０には係止段部を形成しない構成とした場合でも、蓋体１０の周壁１２Ａ〜１２Ｄの下端縁を前記構成とすることにより、圧縮強度は確実に向上することができる。さらにまた、前記実施形態では、蓋体１０の側壁１２Ａ〜１２Ｄの下端縁は、直線的に延びる形状としているが、例えば円弧状の縁により構成し、その一部のみが箱本体２の底壁３の下面に達するように構成してもよい。
【図面の簡単な説明】
【００３５】
【図１】本発明の実施形態に係る包装箱を示し、（Ａ）は断面図、（Ｂ）は一部を破断した斜視図である。
【図２】図１（Ｂ）の全体構成を示す斜視図である
【図３】図２の分解斜視図である。
【図４】蓋体のブランクを示す平面図である。
【図５】蓋体の組立工程を示す斜視図である。
【図６】本発明の包装箱の変形例を示す断面図である。
【図７】図６の包装箱の分解斜視図である。
【図８】変形例の蓋体のブランクを示し、（Ａ）は平面図、（Ｂ）は（Ａ）の要部拡大図である。
【符号の説明】
【００３６】
１…商品
２…箱本体
３…底壁
４Ａ〜４Ｄ…側壁（周壁）
１０…蓋体
１１…天壁
１２Ａ〜１２Ｄ…側壁
１４Ａ，１４Ｂ…外壁部
１５Ａ，１５Ｂ…下端壁部
１６Ａ，１６Ｂ…内壁部
１９…係止段部
２３…連続壁
【図１】
2006051986.tif 000004
【図２】
2006051986.tif 000005
【図３】
2006051986.tif 000006
【図４】
2006051986.tif 000007
【図５】
2006051986.tif 000008
【図６】
2006051986.tif 000009
【図７】
2006051986.tif 000010
【図８】
2006051986.tif 000011